(57)【特許請求の範囲】
【請求項１】
キャブバックパネル室内側に乗員が横寝可能なベッドが、前記バックパネル面に沿って収納されると共に前記ベッド使用時、略水平状態に引き出し可能に構成された車両用収納式ベッド装置であって、
前記ベッドの引き出し方向両端側の後端部に第１係合部及び先端側に第２係合部をそれぞれ設け、前記収納位置から前記ベッド引き出し位置に移動の際、前記第１係合部を下方から直線状に摺動してガイドすると共に、前記引き出し位置において前記第１係合部を係合することによって保持する係合受部が上部側に形成されたガイド部材と、前記ベッドの収納位置で前記第２係合部と係合することにより前記ベッドが前記第１係合部を軸とする車両前後方向への回動を阻止する係止部とを設け、
更に、前記乗員シートの背もたれ部の中間部から上側の背もたれ部上方部を車両前後方向に折曲可能に構成して、前記ベッド使用時に、前記乗員シートの前記背もたれ部上方部を折曲して引き出された前記ベッドの前方部を前記背もたれ部上方部の折曲部に載置したことを特徴とする車両用収納式ベッド装置。
【発明の詳細な説明】
【０００１】
【発明の属する技術分野】
本発明は、乗員が横寝可能な表面を有し、乗員シート背部後方のキャブバックパネルに沿って収納されると共に、ベッド使用時略水平状態に引き出し可能なベッドクッションを有した車両用収納式ベッド装置に関する。
【０００２】
【従来の技術】
従来より、運転室にベッドクションを収納して運転席もしくは助手席とともに横寝可能に構成した車両用ベッド装置は種々知られている。実開昭６２−１０８１３９号に開示した技術もその一つである。この公知技術は、運転室後方のキャブパネルに、下方にヒンジ部を設けてほぼ９０゜折り畳み可能な補助板を配置して、シートバックの背面が水平になるようにシートクッション上に倒し、シートバック後端とキャブパネルとの間を前記補助板により塞ぐように構成される。
【０００３】
しかしながら、この公知技術は、運転席及び助手席のシートバック背面を共に横寝用のスペースとして用いるために、運転席と助手席との間は運転席用補助板と助手席用補助板との間に収納される別途の補助板で塞ぐ必要があり、構造が複雑になる。また、シートバック背面を用いないで補助板のみで横寝用スペースを確保するように改造するには、シートバックからキャブパネルに至る空間を確保する必要があり、車両運転室の大型化につながる。
【０００４】
一方、特開平９−１７３１８０号公報も知られている。この公知公報に開示されている技術は、運転室後方のキャブパネルに、下方にヒンジ部を設けてほぼ９０゜折り畳み可能なベッドを配置し、前傾可能なシートバックを中間部分から２分して、ヘッドレスト兼用上部部分と基部とで構成し、前記ヘッドレスト兼用上部部分を前方に、その背面がシートバック基部前傾位置で水平となるように倒し、ベッド前方部分を前記ヘッドレスト兼用上部部分背面に載置する構成である。
【０００５】
【発明が解決しようとする課題】
しかしながら、この技術は前記ベッドのヒンジ部分の床からの位置は、ほぼ前記ヘッドレスト兼用上部部分の前方への折り曲がり部分の位置にあり、そして、格納位置において前記ベッド自由運動端は前記ヘッドレスト兼用上部部分の自由運動端よりはるか上方に位置する。
よって、前記ベッドの収納位置における係止を強固なものにしないと、衝撃により係止が外れてベッド先端部が乗員の頭上に回動落下する可能性がある。また、ベッド使用時に、ベッド係止部材が前記ヒンジ部分より上方に位置しているために、前記係止部材を外してベッドから手を離すとベッド自由運動端は自重でヒンジ中心に回動落下する。
【０００６】
上述の事情に鑑み、本発明は、衝撃により乗員の頭上に落下することがない車両用収納式ベッド装置を提供することを目的としたものである。
また、本発明の他の目的はベッドの自由落下の恐れを解消した車両用収納式ベッド装置を提供することである。
また、本発明の他の目的はベッドを収納位置からの引き出し、または引き出し位置から収納位置への収納が容易な車両用収納式ベッド装置を提供することである。
【０００７】
【課題を解決するための手段】
本発明はかかる課題を解決するもので、キャブバックパネル室内側に乗員が横寝可能なベッドが、前記バックパネル面に沿って収納されると共に前記ベッド使用時、略水平状態に引き出し可能に構成された車両用収納式ベッド装置であって、前記ベッドの引き出し方向両端側の後端部に第１係合部及び先端側に第２係合部をそれぞれ設け、前記収納位置から前記ベッド引き出し位置に移動の際、前記第１係合部を下方から直線状に摺動してガイドすると共に、前記引き出し位置において前記第１係合部を係合することによって保持する係合受部が上部側に形成されたガイド部材と、前記ベッドの収納位置で前記第２係合部と係合することにより前記ベッドが前記第１係合部を軸とする車両前後方向への回動を阻止する係止部とを設け、更に、前記乗員シートの背もたれ部の中間部から上側の背もたれ部上方部を車両前後方向に折曲可能に構成して、前記ベッド使用時に、前記乗員シートの前記背もたれ部上方部を折曲して引き出された前記ベッドの前方部を前記背もたれ部上方部の折曲部に載置したことを特徴とする。
【０００８】
そして、ベッドの収納位置で前記第２係合部の係止装置を解除して、前記第１係合部を軸とする前方回動を可能とし、前記ベッドの引き出し方向両サイド側の後端側に配置した第１係合部を、ベッド収納位置からベッド引き出し位置にガイド部材によりガイドされ移動し、前記引き出し位置においてガイド部材の終端部に設けられた係合受部によって保持される。よって、前記ベッドの前方部は前記背もたれ部折曲部に載置され、後端側は前記係合受部によって保持されることにより収納式ベッドの引き出しは完了する。
【０００９】
このベッド引き出し過程において、ベッドが自重で回動して乗員の手指に損傷を与えることはない。すなわち、ベッドの収納位置で前記第２係合部を係止部から解除しても、その状態ではベッドは約４５゜程度の角度回動して前傾しているシートバック背面に寄り掛かるのみであり、そして、ベッドの引き出し動作中に手を離しても、そのときには手指とベッド背面との間は距離的に短く、衝撃力は極めてすくない。
【００１０】
尚、ベッドを収納位置から引き出す操作を容易に行うためにベッド外側の任意の場所に取っ手を配置する事が望ましい。
また、前記乗員シートの前記背もたれ部上方側背面に横寝した乗員の落下防止用枠を起立・格納可能に配置することができる。
また、門状に形成された前記落下防止枠の門内に位置するようにベッド前方端側面に門状取っ手を配置するとともに、ベッドから延在している紐の先端に取っ手片を取り付け、該取っ手片を前記門状取っ手の門内に挿入して前記落下防止枠をロックすることができる。
【００１１】
【発明の実施の形態】
以下、本発明を図に示した実施の形態を用いて詳細に説明する。但し、この実施の形態に記載される構成部品の寸法、材質、形状、その相対位置などは特に特定的な記載が無い限り、この発明の範囲をそれのみに限定する趣旨ではなく単なる説明例に過ぎない。
【００１２】
図１は、本発明の実施の形態に係る車両用収納式ベッド装置の使用状態を示す斜視図、図２は、本発明の実施の形態に係る車両用収納式ベッド装置の収納状態を示す斜視図、図３は、落下防止枠の他の実施の形態を示す図、図４は、ベッド収納・引き出し操作を説明する説明図である。
図２において、リアウインド６が設けられているキャブパネル５と図示しない正面ウインドガラスとの間に設けられた運転室内には、運転席１、助手席２及び、補助席３が並んで配置され、運転席１のバックシート基部１ｂ及び、助手席２のバックシート基部２ｂは、図示しないレバーを操作することにより所定角度前方に傾斜した位置（図１）で係止保持可能に構成されている。
尚、補助席３のシートバックは図２が理解し易いように省略してある。また、図２は補助席３を設けてあるが、補助席３がない車両もあり、どちらの場合も、本実施形態の技術は適用される。
【００１３】
バックシート基部１ｂ及び２ｂの上側には、それぞれバックシート上方部（背もたれ部上方側）１ｃ及び２ｃが図示しないボタンを押すことによって、回転軸心１ｆ及び２ｆを中心として所定角度前方に回動して、前記バックシート基部１ｂ及び２ｂが所定角度前方に傾斜した状態で、折曲部であるバックシート上方部１ｃ及び２ｃの背面１ｇ，及び２ｇが水平となる位置で保持可能に構成されている（図１）。
【００１４】
バックシート上方部１ｃ及び２ｃの背面１ｇ，及び２ｇには、溝１ｅ、及び２ｅが設けられ、該溝内にはベッド４の正面ウインドガラス側のベッド端部であることを横寝する乗員に知らせるための落下防止枠１ｄ，及び２ｄが軸心１ｈ，及び２ｈを回転中心として起立・格納可能に配置されている。該落下防止枠２ｄ，１ｄはベッドクッション４の前端面４ｃに対してほぼ２０゜程度傾斜して起立接触しているので、溝壁面と落下防止枠体との間に摩擦抵抗を設けなくても落下防止枠体１ｄ，２ｄが溝方向に傾斜して位置したり溝内に戻ってしまうことが少ない。
【００１５】
また、図３に示すように門状に形成した門柱部分間が互いに狭まるように弾性力を有した金属もしくは合成樹脂で形成した落下防止枠体１１として構成することもできる。この落下防止枠体の第２実施の形態は、溝１０の両端に設けた凹部１０ａ，１０ａに開設した孔１０ｃに枠体１１の折曲端部が挿入され、起立状態では前記凹部１０ａの壁面により傾斜が防止され、上記門柱部分間を拡開させ前記壁面を乗り越えて回動させることで溝１０に格納することができる。
【００１６】
再度図２に戻って、ベッドクッション４はリアウインド６の下側に収納配置される。ベッドクッション４の引き出し方向先端側である前方端面４ｃには取っ手１４が取り付けられるとともに、ベッドクション４の引き出し方向後端側である後方端面に一端が固着され、収納状態のベッドクッション４の前端面４ｃより高い位置のキャブパネル５に取付られたプーリ１５に巻き回された紐８の他端に取り付けられた取っ手片９が配置され、これらの取っ手１４もしくは取っ手片９によってベッドクッション４を引き出すことが可能に構成されている。
【００１７】
ベッドクッション４の両端面には第１係合部４ｂ，４ｂ、及び第２係合部４ａ，４ａが設けられ、図４に示すように、第１係合部４ｂ，４ｂは、ベッドクッション４の両側に配置されたガイド部材７、７に設けられたガイド溝１３、１３に摺動可能に嵌合され、第２係合部４ａ，４ａは前記ガイド部材７、７に設けられた係止溝（係止部）１２、１２に係脱嵌合可能に構成されている。
【００１８】
前記係止溝（係止部）１２は、逆Ｌ字形に形成され、ガイド部材７の前方から第２係合部４ａが嵌合挿入可能に開口部が開口し、水平方向に進んだ後、ガイド部材７の中央部分で下側に折り曲がり、前記第２係合部４ａが係止される係止凹部１２ａを形成している。前記第２係合部４ａが該係止凹部１２ａに係止されているときにはベッドクッション４の引き出しは禁止される。
【００１９】
ガイド部材７、７に設けられたガイド溝１３は、下方から直線状に設けられ、上端部分でカギ状に前方に向かって折り曲がり更に下方へ曲がって、逆Ｊ型を成し、ベッドクッション４の後端部に設けた第１係合部４ｂを保持する係合受部１３ａを形成している。この位置でベッドクッション４の後端部が保持される。
【００２０】
次に、上述のように構成された収納式ベッド装置の引き出し・収納動作を説明する。
図２において、図示しないレバーを操作してバックシート基部１ｂ，２ｂを前傾させ、さらに図示しないボタンを押してバックシート上部１ｃ，２ｃを前方に傾斜させバックシート上部１ｃ，２ｃの背面を上方に向けて水平に配置する。
【００２１】
取っ手片９を前方に引く、もしくは取っ手１４を把持して上方に引き上げると、第２係合部４ａ、４ａは上方に移動し、係止凹部１２ａから脱するので、図４に示すように第１係合部４ｂを中心にしてベッドックッション４は反時計方向に回動して第２係合部４ａ、４ａは係止溝１２から脱する。
【００２２】
さらに、取っ手片９を左手に持って取っ手１４を手前に引くと、ベッドクッション４の前方側を、バックシート上部側の水平背面に導く。そして、第１係合部４ｂが係合受部１３ａに落ち込むことにより保持され、その位置でベッドクッション４の前方側部をバックシート上部側の水平背面上に載置する。落下防止枠体１ｄ，２ｄを起立させることにより収納式ベッドの用意が完了する。
よって、収納状態からベッドを引き出すには、手前に引くという一連の動作の一部の初期動作によって第２係合部の係止が解除され、簡単な操作で容易にベッドを引き出すことができる。
【００２３】
この状態からベッドクッション４を収納するには、これまでと逆の操作を行うことになる。つまり、落下防止枠体１ｄ，２ｄをバックシート上部側の水平背面上の溝１ｅ，２ｅ内に収納し、取っ手片９を引くと、第１係合部４ｂが係合受部１３ａの底部から浮き上がり、そのままの状態でベッドクッション４を後方に押すことにより第１係止部４ｂが係合受部１３ａから外れ、取っ手片９の引張力を少しずつ緩めながら図４に示す状態からベッドクッション４を押して時計方向に回動させ、収納完了近くになったら、取っ手１４を握りながら第２係合部４ａを係止部１２の開口部に導き、自重により収納位置に落下する。
よって、引き出し状態からベッドを収納するには、後方に押すという一連の動作の一部の初期動作によって第１係合部の係止が解除され、簡単な操作で容易にベッドを収納することができる。
【００２４】
【発明の効果】
以上記載したごとく、本発明は、ベッドをリアウインドの下方であって、キャブパネルとシートバックとの間に引き出し収納可能に配置しているので、衝撃によって乗員側にベッドが倒れてくることが容易に防止できる。
また、ベッドを収納位置から引き出す過程において、ベッドが自重で回動して乗員の手指に損傷を与えることはない。
また、ベッドの収納時または引き出し時において、ベッド移動方向に引く、または押す動作に連動して係止状態が解除され、一連の動作によりベッドを移動できるので、操作が簡単で容易にベッドの収納・引き出しを行うことができる。
【図面の簡単な説明】
【図１】本発明の実施の形態に係る車両用収納式ベッド装置の使用状態を示す斜視図である。
【図２】本発明の実施の形態に係る車両用収納式ベッド装置の収納状態を示す斜視図である。
【図３】落下防止枠の他の実施の形態を示す図である。
【図４】ベッド収納・引き出し操作を説明する説明図である。
【符号の説明】
１ｃ，２ｃ          シートバック上方側
４                  ベッドクッション（ベッド）
４ａ                第２係合部
４ｂ                第１係合部
５                  キャブパネル
６                  リアウインド
７                  ガイド部材
１２ａ              係止凹部
１３ａ              係合受部
【図１】
0003685359.tif 000002
【図２】
0003685359.tif 000003
【図３】
0003685359.tif 000004
【図４】
0003685359.tif 000005